【事件の表示】
　特願２００３−１３３７５４号「観音開き式の細型冷蔵庫」拒絶査定不服審判事件〔平成１６年１２月　２日出願公開、特開２００４−３４０３９０号〕について、次のとおり審決する。
【結　論】
　本件審判の請求は、成り立たない。
【理　由】
第１．手続の経緯
　本願は、平成１５年５月１２日の出願であって、平成２０年４月２１日付けで拒絶査定がなされ、これに対して平成２０年６月１２日に拒絶査定不服審判が請求されるとともに、平成２０年７月１１日に手続補正がなされたものである。
　
第２．平成２０年７月１１日の手続補正についての補正却下の決定
［補正却下の決定の結論］
　平成２０年７月１１日の手続補正（以下「本件補正」という。）を却下する。
　
［理由］
１．補正後の発明
　本件補正により、特許請求の範囲の請求項１は、
「【請求項１】回転扉が前面に設けられ、該回転扉の閉鎖時における奥行き寸法（Ｄ１）が左右幅寸法（Ｗ１）より大きいかまたは略等しく、高さ寸法（Ｈ）が左右幅寸法（Ｗ１）の２．５倍以上である冷蔵庫において、　前記回転扉は左右が一対をなす観音扉式であり、前記回転扉の下方に収納容器と一体となった引き出し式扉が一つまたは複数設けられており、
前記収納容器の後部には冷却器を設け、
左右幅寸法（Ｗ１）を６０ｃｍ前後とし、前記回転扉の閉鎖時における奥行き寸法（Ｄ１）を前記左右幅寸法（Ｗ１）の０．９５〜１．２倍とした
　上記補正は、本件補正前の請求項１に係る発明において、発明を特定するために必要な事項である「収納容器」に対して、本件補正により、「収容容器の後部には冷却器を設け」ることを限定し、同様に、「奥行き寸法（Ｄ１）」及び、「左右幅寸法（Ｗ１）」に対して、「左右幅寸法（Ｗ１）を６０ｃｍ前後とし、前記回転扉の閉鎖時における奥行き寸法（Ｄ１）を前記左右幅寸法（Ｗ１）の０．９５〜１．２倍とした」ことを限定されたものであり、本件補正に係る事項は、願書に最初に添付した明細書又は図面に記載した事項の範囲内においてするものであって、本件補正前の特許請求の範囲の請求項１に記載される発明の産業上の利用分野及び解決しようとする課題が同一であるので、平成１８年法律５５号改正附則第３条第１項によりなお従前の例とされる同法による改正前の特許法第１７条の２第４項第２号に規定する特許請求の範囲の減縮を目的とするものに相当する。
　
　そこで、本件補正後の請求項１に記載された発明（以下「本願補正発明」という。）が独立して特許をうけることができるものであるかどうか（平成１８年法律第５５号改正附則第３条第１項によりなお従前の例とされる同法による改正前の特許法第１７条の２第５項において準用する同法第１２６条第５項の規定に適合するかどうか）について以下に検討する。
　
２．引用刊行物とその記載
　刊行物１：登録実用新案第３０３５６１０号公報
　刊行物２：特開２００３−８３６７３号公報
  　
（１）原査定の拒絶の理由に引用され、本願出願前に頒布された刊行物１には、冷蔵庫に関して以下の記載がある。
ア．「【００２６】
　そして、前記冷蔵庫１は、冷蔵庫１が置かれる床面Ｆから、前記冷蔵庫１の上端部までの高さをＨ１、前記野菜室２００の引出ドア上端部までの高さをＨ２、前記上部冷凍室３００の引出ドア上端部までの高さをＨ３、前記下部冷凍室４００の引出ドア上端部までの高さをＨ４に設定している。例えば、この実施形態では、Ｈ１を１７３０ｍｍ、Ｈ２を９３２ｍｍ、Ｈ３を６１１ｍｍ、Ｈ４を３７４ｍｍに設定している。また、横幅がＷ、奥行きがＤに設定され、例えば、この実施形態では、Ｗを５９０ｍｍ、Ｄを６９０ｍｍに設定している。」
　
イ．「【００２８】
　また、開閉ドア１０は、片側の上下に設けたヒンジ部６０で開閉可能に筐体２に取付けられる。開閉ドア１０の自由端側には、開閉ドア１０の全高の７割以上を占める縦長の縦ハンドル１１が設けられている。該縦ハンドル１１は、縦長弓形の凹部１３と、該凹部１３の片側中央に設けられる細長い手掛部１２とから構成され、該手掛部１２に指を引っ掻けて開閉ドア１０を開閉することができる。
　【００２９】
　引出ドア２０は、上端に、ドア幅一杯に形成される下方に円弧状に張り出した手掛部２２と、該手掛部２２の下部に形成される横長弓状の凹部２３とから構成される横ハンドル２１を設けている。前記下方に円弧状に張り出した手掛部２２は、他の部材と異なる色彩が施されて目立つようにデザイン処理されることで、正面のほぼ中央に強いアクセントラインを形成して意匠的に向上させるとともに、その大きさを利用して銘板２４を備えるスペースとして利用される。引出ドア３０，４０は、上端中央に、横長の手掛部３２，４２と、凹部３３，４３とからなる横ハンドル３１，４１が設けられている。」
　
ウ．「【００３２】
　また、野菜室２００は、周側面がほぼ垂直で上方が開放した
収納ケース２０２が、引出ドア２０の開閉機構６００（図１３参照）に支持されて引出ドアと一体となってスライド可能に設けられている。
　【００３３】
　収納ケース２０２の上部後方には、前記収納ケース２０２と連動して、あるいは引出ドア２０の開いた状態で独立して出し入れ可能な他の収納ケース２０４が配置されている。この２段構造により野菜の縦積みを軽減して鮮度維持を図り、収納性を向上することができる。この野菜室２００は、庫内温度が３°Ｃに設定され、上部冷凍室または下部冷凍室よりも大きな収納容積ＶＶを備えている。
　【００３４】
　上部冷凍室３００と下部冷凍室４００からなる冷凍室８００は、庫内温度が−１８°Ｃに設定され、冷蔵室１００の収納容積ＶＲに次ぐ大きさを備えた収納容積ＶＦを備えている。上部冷凍室３００は、周側面がほぼ垂直で上方が開放した
収納ケース３０２が、引出ドア３０の開閉機構６００に、収納ケース２０２と同様に着脱自在に支持されて設けられている。
収納ケース４０２が、引出ドア４０の開閉機構６００に、収納ケース２０２と同様に着脱自在に支持されて設けられている。」
　
エ．「【００３８】
　また、下部冷凍室４００の後方に、圧縮機５０２を備えた機械室５００、上部冷凍室３００の後方に熱交換器５０４、野菜室２００の後方下部にフアンモータ５０６、野菜室２００の収納ケース２０４とチルド室１０４の後方に跨って冷気分配器（冷気供給量調整機）５０８が配置される。
　【００３９】
　この配置構造によれば、重量のある圧縮機５０２を背面の最下部に設けたので冷蔵庫１の重心を下げて安定させることができる。また、冷却源である熱交換器５０４を、庫内温度が高い野菜室２００と段違いにして、庫内温度が最も低い冷凍室８００（上部冷凍室３００）の後方に近接配置したので、野菜室２００内の庫内温度低下を軽減して、冷凍室８００（上部冷凍室３００）を効率よく冷すことができる。特に、この考案に係る冷蔵庫１では冷凍室８００を最下部に配置しているので、必然的に熱交換器５０４を下方に配置することができるから、機械室５００と熱交換器５０４との間に形成されるデッドスペースを無くすことができる。」
　
オ．「【０１４０】
〔第４の実施形態〕
　図２５において、この実施形態に係る冷蔵庫１ｃは、大容量の冷蔵庫を実現するために、高さ寸法を前記第１の実施形態と共通しているが、横幅Ｗを大きくし、冷蔵室１００の開閉ドア７１０を２枚の開閉ドア７１０ａ，７１０ｂで構成して、両側のヒンジ部６０で開閉可能にしたものである。
　【０１４１】
　図２５において、この実施形態に係る冷蔵庫１ｃは、その横幅と奥行き寸法を除いて前記第１の実施形態と同じ構造を持ち、更に、冷蔵庫１ｃが置かれる床面Ｆから、前記冷蔵庫１ｃの引出ドア上端部までの高さＨ１と、前記野菜室２００の引出ドア上端部までの高さＨ２と、前記上部冷凍室３００の引出ドア上端部までの高さＨ３、前記下部冷凍室４００の引出ドア上端部までの高さＨ４と、を前記第１の実施形態と同様の寸法に設定している。
　【０１４２】
　そして、横幅Ｗを前記第１の実施形態より大きい、例えば６８２ｍｍに設定し、奥行きがＤを６６５ｍｍに設定している。開閉ドア７１０ａ，７１０ｂの中央側に縦ハンドル１１ａ，１１ｂがそれぞれ配置され、各開閉ドア７１０ａ，７１０ｂの内壁面に図示しない複数のトレー１２６が配置されている。
　【０１４３】
　この冷蔵庫１ｃによれば、横幅Ｗを大きくして、冷蔵室１００の開閉ドア７１０を２枚の開閉ドア７１０ａ、７１０ｂで構成することにより、大きな設計変更をともなうことなく大型化が図れ、しかも貯蔵室の使用頻度と使用者の動作姿勢に合った冷蔵庫１ｃを提供することができる。」
　
カ．図１には、開閉ドア１０が冷蔵庫の前面に設けられており、その下方に、引出ドア２０，３０，４０が、設けられていること、及び、奥行きＤが、開閉ドア１０が閉鎖時のものであることが看取できる。
　
キ．図４には、収納ケース２０２，３０２の後方に熱交換器５０４が設置されていることが図示されている。
　
　そして、冷蔵庫の外形寸法に関して、上記ア．の記載からみて、奥行きＤ（６９０ｍｍ）は、横幅Ｗ（５９０ｍｍ）より大きく、冷蔵庫１が置かれる床面Ｆから、前記冷蔵庫１の上端部までの高さＨ１（１７３０ｍｍ）が、横幅Ｗ（５９０ｍｍ）の２．５倍（１４７５ｍｍ）以上であり、さらに、横幅Ｗ（５９０ｍｍ）は５９ｃｍであり、開閉ドア１０の閉鎖時における奥行きＤ（６９０ｍｍ）を横幅Ｗ（５９０ｍｍ）の１．１７倍であることが明らかであり、記載されているに等しいから、以上（ア．〜エ．及び、カ．〜キ．）の記載を総合すると、刊行物１には、以下の発明（以下「引用発明」という。）が記載されている。
　
 「ヒンジ部６０で開閉可能に筐体２に取り付けられる開閉ドア１０が前面に設けられ、該開閉ドア１０の閉鎖時における奥行きＤが横幅Ｗより大きく、高さＨ１が横幅Ｗの２．５倍以上である冷蔵庫において、開閉ドア１０の下方に収納ケース２０２，３０２，４０２と一体となった引出ドア２０，３０，４０が複数設けられており、前記収納ケース３０２の後方に熱交換器５０４を近接配置し、横幅Ｗを５９ｃｍとし、開閉ドア１０の閉鎖時における奥行きＤを、前記横幅Ｗの１．１７倍とした冷蔵庫」
　
（２）刊行物２
　同じく引用され、本願出願前に頒布された刊行物２には、冷蔵庫の扉開放装置に関して以下の記載がある。
　
ク．「【００１５】
　【発明の実施の形態】以下、図面に基づき本発明の１実施形態について説明する。図１は本発明に係る観音開き式の冷蔵室扉を開扉した状態を示す冷蔵庫の斜視図であり、外箱と内箱とこれら内外箱間に断熱材を発泡充填した断熱箱体で形成された冷蔵庫本体（１）は、内箱内部に貯蔵空間として最上部に冷蔵室（２）、その下方には断熱仕切壁を介して製氷貯氷室（３）と温度切替室（４）とを左右に区分して併置しており、続いて、野菜室（５）、最下部には冷凍室（６）を独立して配置し、各貯蔵室の前面開口には各々専用の扉を設けて開閉自在に閉塞している。
　【００１６】最も大きな収納容積を有する冷蔵室（２）の開口部前面には、両外側の上下端をそれぞれヒンジ（７）で枢支した左扉（８）、および右扉（９）が回動自在に取付けられており、各扉（８）（９）周縁の前記開口部に対応する部位にはマグネットガスケット（10）を取着して、閉扉の際はマグネットの磁力によりガスケット（10）が冷蔵室（２）の開口部周縁に吸着するとともに、開口部の中央部は双方の扉間に対して仕切体のないフレンチドア方式として、冷蔵室（２）内と外部とを気密に断熱的にシールし、熱漏洩を防止している。
　【００１７】冷蔵室（２）の下部に配置したその他の貯氷室（３）、温度切替室（４）、野菜室（５）、および冷凍室（６）は、扉内側に取り付けられ貯蔵室内奥方に延出する図示しない枠体に載置した各収納容器とともに、枠体と庫内壁面とのレール機構によりそれぞれが前後方向に扉を庫外に引き出す方式としている。」
　
ケ．「【００３６】なお、上記実施形態３および４においては、開扉ストロークを変えるために、クランク機構の支点間の距離を変化させたが、
左右の扉幅が同一
　
コ．「【００２９】前記実施形態１では、左右扉（８）（９）は、開扉スイッチ（25）へのタッチ操作で、双方が同時に開扉することになるが、観音開き式扉の長所は、左右扉を個々に開扉できることから、扉幅が小さくなって回転半径が縮小する設置スペース効果とともに、必要な一方の扉のみを開いて冷気の無駄な流出を防止するところにもあり、左右扉を個々の開扉することにも対応する必要がある。」
　
　記載事項（ケ）の「左右の扉幅が同一」に着目して、以上の記載（ク．〜コ．）を総合すると、刊行物２には、以下の発明（以下「刊行物２記載の発明」という。）が記載されている。
　
「下部に収納容器とともに扉を庫外に引き出す方式の、貯氷室、温度切替室、野菜室及び冷凍室を設けた冷蔵庫の、冷蔵室の開口部前面にヒンジで枢支した左扉（８）、および右扉（９）が回動自在に取り付けられているものであって、左右の扉幅が同一である観音開き式の冷蔵室扉」
　
３．発明の対比
　本願補正発明と、引用発明とを対比すると、
　引用発明における「ヒンジ部６０で開閉可能に筐体２に取り付けられる開閉ドア１０」は、ヒンジ部６０を中心に回動することにより開閉するものであるから、本願補正発明の「回転扉」に相当する。以下同様に、「奥行きＤ」は、「奥行き寸法（Ｄ１）」に、「横幅Ｗ」は、「左右幅寸法（Ｗ１）」に、「高さＨ１」は、「高さ寸法（Ｈ）」に、「収納ケース」は、「収納容器」に、「引出ドア」は、「引き出し式扉」に、「収納ケース３０２の後方に熱交換器５０４を近接配置し」は、「収納容器の後部には冷却器を設け」に、「５９ｃｍ」は、「６０ｃｍ前後」にそれぞれ相当する。さらに、引用発明における「奥行きＤを、横幅Ｗの１．１７倍とした」ことは、本願補正発明における「奥行き寸法（Ｄ１）を左右幅寸法（Ｗ１）の０．９５〜１．２倍とした」ことに含まれることは明らかである。
　
　よって、両者の一致点、相違点は以下のとおりである。
　
［一致点］
　「回転扉が前面に設けられ、該回転扉の閉鎖時における奥行き寸法（Ｄ１）が左右幅寸法（Ｗ１）より大きく、高さ寸法（Ｈ）が左右幅寸法（Ｗ１）の２．５倍以上である冷蔵庫において、前記回転扉の下方に収納容器と一体となった引き出し式扉が複数設けられており、前記収納容器の後部には冷却器を設け、前記左右幅寸法（Ｗ１）を６０ｃｍ前後とし、前記回転扉の閉鎖時における奥行き寸法（Ｄ１）を前記左右幅寸法（Ｗ１）の０．９５〜１．２倍とした冷蔵庫」
　
［相違点１］
　回転扉に関して、本願補正発明においては、「左右が一対をなす観音扉式」であり、さらに、「左右の回転扉が貯蔵室の前面を左右に２等分するように同一の幅寸法を有」するのに対し、引用発明においては、観音扉式でない点。
　
［相違点２］
　本願補正発明においては、「回転扉が解放時に前方へと突き出す最大限の寸法が、いずれの前記引き出し式扉を最大限前方へと引き出した際の突き出し寸法よりも小さ（い）」のに対して、引用発明においては、回転扉と引き出し式扉の突き出し寸法に関する関係が特定されていない点。
　
４．当審の判断
　そこで、上記各相違点について検討する。
　
［相違点１について］
　本願補正発明と、刊行物２記載の発明とを比較すると、刊行物２記載の発明における「冷蔵室の開口部前面」は、本願補正発明の「貯蔵室の前面」に相当し、同様に、「冷蔵室」は、「貯蔵室」に相当する。また、刊行物２記載の発明の「ヒンジで枢支した左扉、および右扉が回動自在に取り付けられているものであって、左右の扉幅が同一である観音開き式の冷蔵室扉」は、本願補正発明の「回転扉は左右が一対をなす観音扉式」に相当し、さらに、刊行物２記載の発明の左扉および右扉も、本願補正発明における左右の回転扉と同じく、「同一の幅寸法」を有するといえる。そして、左右の回転扉が「同一の幅寸法」であれば貯蔵室の前面を左右に２等分することは明かであるから、刊行物２記載の発明は、「回転扉は左右が一対をなす観音扉式であり、左右の回転扉が、貯蔵室の前面を左右に２等分するように同一の幅寸法を有」するものである。
　また、刊行物２記載の発明は、「観音開き式扉の長所は、左右扉を個々に開扉できることから、扉幅が小さくなって回転半径が縮小する設置スペース効果とともに、必要な一方の扉のみを開いて冷気の無駄な流出を防止する」（上記刊行物２の記載２．（２）コ．）という課題を解決するものであって、これは、冷蔵庫全般に通じるものである。そしてこの課題は、たとえ引用発明のように左右幅寸法を６０ｃｍ前後としたものであっても同様のものである。さらに、刊行物１（図２５、及び２．（１）オ．）には、横幅を６８２ｍｍ（６８．２ｃｍ）と、横幅６０ｃｍと比較して横幅をわずか約１４％拡張した冷蔵庫に対しても観音開き式の回転扉を採用することが開示されているから、特に横幅が６０ｃｍ前後の冷蔵庫に、観音開き式の回転扉を採用することに特段の阻害要因はない。よって、刊行物２記載の発明に倣って、引用発明における「開閉ドア１０」を左右が一対をなす観音扉式のものとし、左右の回転扉が貯蔵室の前面を２等分する同一の幅寸法を有するものとすることにより、上記相違点１に係る本願補正発明の構成とすることは、当業者が容易になし得たことである。
　
［相違点２について］
　回転扉が解放時に前方へ突き出す最大限の寸法に関して、引用発明における冷蔵庫の横幅が５９ｃｍと、６０ｃｍ前後であることを考慮すると、引用発明の回転扉に、左右同一の幅寸法を有する観音開扉式のものを採用した際に、回転扉が解放時に前方へ突き出す最大限の寸法は、３０ｃｍ程度のものと推認され、冷蔵庫の奥行きＤ（６９０ｍｍ）の半分にも満たない寸法となる。
　一方、引出ドアの最大限前方へと引き出した際の突き出し寸法に関して、収納容器から物を取り出す際の出し入れを容易にする等のために、突き出し寸法をなるべく大きくすることは、当業者にとって設計上考慮され得る事項であり、その最大突き出し寸法を冷蔵庫の奥行きの半分よりも大きくすることは、収納容器の使いやすさ等を考慮して適宜採用され得る事項であるから、結果的に観音開き式を採用した回転扉が解放時に前方へと突き出す最大限の寸法を、引き出し式扉を最大限前方へと引き出した際の突き出し寸法よりも小さくすることは何ら格別なことではない。
　しかも、本願補正発明による「回転扉の開閉に必要な、冷蔵庫の前方側のスペースを小さくとることができる」（本願明細書段落【００５０】を参照）という効果は、直接的には、回転扉が解放時に前方へ突き出す最大限の寸法を小さくすることにより得られるものであり、引き出し式扉を最大限前方へと引き出した際の突き出し寸法そのものが本願補正発明において何ら規定されているわけでもないので、単に、本願補正発明のように、引き出し式扉との最大限前方へと引き出した際の突き出し寸法と比較した場合の大小関係を規定することによって得られる格別な効果であるものとは認められない。
　上記相違点２の判断について付言すると、引用発明の引き出し式扉について、収納スペースの確保と出し入れの容易さ等のために最大限前方へ引き出すことは、上記したとおり当業者が通常なすことである。そうすると、回転扉を観音扉式のものとするに際し、引出扉の突き出し寸法を、そのままとすることも当業者が適宜採用し得たことであるから、観音開き式を採用した回転扉が解放時に前方へと突き出す最大限の寸法を、引き出し式扉を最大限前方へと引き出した際の突き出し寸法よりも小さくすることも、当業者が格別の困難性を要することなくなし得たことである。
　
　そして、本願補正発明全体により得られる効果も、刊行物１〜２記載の発明から、当業者であれば予測できた範囲のものである。
　
　よって、本願補正発明は、刊行物１〜２に記載の発明に基づいて、当業者が容易に発明することができたものであるから、特許法第２９条第２項の規定により独立して特許を受けることができない。
　
５．結び
　以上のとおり、本件補正は、平成１８年法律第５５号改正附則第３条第１項によりなお従前の例とされる同法による改正前の特許法第１７条の２第５項において準用する、同法第１２６条第５項の規定に違反するので、同法第１５９条第１項により読み替えて準用する同法第５３条第１項の規定により却下すべきものである。
　
　よって、補正却下の決定の結論のとおり決定する。
　
第３．本願発明について
１．本願発明
　本件補正は、上述のように却下されたので、本願の請求項１に係る発明は、平成２０年２月１日付けの手続補正により補正された特許請求の範囲の請求項１に記載された事項により特定される以下のとおりのものである。（以下「本願発明」という。）
　
「【請求項１】
　回転扉が前面に設けられ、該回転扉の閉鎖時における奥行き寸法（Ｄ１）が左右幅寸法（Ｗ１）より大きいかまたは略等しく、高さ寸法（Ｈ）が左右幅寸法（Ｗ１）の２．５倍以上である冷蔵庫において、前記回転扉は左右が一対をなす観音扉式であり、また、前記回転扉の下方に、収納容器と一体となった引き出し式扉が一つまたは複数設けられており、前記回転扉が開放時に前方へと突き出す最大限の寸法が、いずれの前記引き出し式扉を最大限前方へと引き出した際の突き出し寸法よりも小さく、前記左右の回転扉が、貯蔵室の前面を左右に２等分するように、同一の幅寸法を有していることを特徴とする冷蔵庫。」
　
２．引用刊行物とその記載内容
　引用刊行物等は、前記「第２．２．」に記載したとおりのものである。
　
３．発明の対比・判断
　本願発明は、本願補正発明の、「前記収納容器の後部には冷却器を設け」、及び「前記左右幅寸法（Ｗ１）を６０ｃｍ前後とし、前記回転扉の閉鎖時における奥行き寸法（Ｄ１）を前記左右幅寸法（Ｗ１）の０．９５〜１．２倍とした」なる限定を省いたものである。
　そうすると、本願発明の構成要件を全て含み、さらに他の構成要件を付加したものに相当する本願補正発明が、前記「第２．４．」で記載したとおり、刊行物１〜２記載の発明に基づいて、当業者が容易に発明することができたものであるから、本願発明も、同様の理由により、刊行物１〜２記載の発明に基づいて容易に発明をすることができたものである。
　
４．結び
　以上のとおり、本願発明は、刊行物１〜２記載の発明に基づいて当業者が容易に発明をすることができたものであるから、特許法第２９条第２項の規定により特許を受けることができない。
　したがって、本願は、他の請求項については検討するまでもなく、拒絶すべきものである。
　
　よって、結論のとおり審決する。